(57)【特許請求の範囲】
【請求項１】
回転自在に支持された回転軸と、
前記回転軸に設けられ、包材ロールが取外し可能に装着されるリールと、
前記回転軸に所定の制動力を付与する制動手段とを備えた間欠包装機の包材ロール装着装置において、
前記リールは、前記包材ロールの両側に分離して配置され、前記回転軸の軸方向に移動可能であるとともに前記回転軸と一体に回転可能な一対のリール半体からなり、
前記各リール半体は、前記包材ロールの芯管内に嵌入される装着軸部と、前記装着軸部内にその横断面内にて回動自在に配置され、一端が前記装着軸部の外周面に対して突没可能な掛止部材と、前記掛止部材を前記一端の突出方向に回動させる回動手段とを備え、
前記各リール半体の前記掛止部材は前記一端に前記芯管の内周面に対して互いに逆向きの周方向から個々の歯先を突き当て可能な滑止め歯列を有する
ことを特徴とする間欠包装機の包材ロール装着装置。
【請求項２】
前記回動手段は、前記回転軸に設けられ、前記掛止部材と当接可能な受け部を含み、
前記回転軸に対して前記リール半体が前記周方向に回転されたとき、前記掛止部材は前記受け部に当接し、前記突出方向に回動されることを特徴とする請求項１に記載の間欠包装機の包材ロール装着装置。
【請求項３】
前記回動手段は、前記回転軸の外周面に設けられたピボット軸受と、前記掛止部材に設けられ、その先端が前記ピボット軸受に対して進退可能な進退軸部材とを含み、
前記進退軸部材は前記先端が前記ピボット軸受に支持された状態で更に伸長し、前記掛止部材を前記突出方向に回動させることを特徴とする請求項１に記載の間欠包装機の包材ロール装着装置。
【請求項４】
前記各リール半体は、前記回転軸の直径方向でみて前記掛止部材の前記滑止め歯列とは反対側に設けられ、前記芯管の内面に個々の歯先を突き当て可能な第２の滑止め歯列を更に含むことを特徴とする請求項２又は３に記載の間欠包装機の包材ロール装着装置。
【発明の詳細な説明】
【０００１】
【発明の属する技術分野】
本発明は、例えば縦形製袋充填機等の間欠包装機における包材ロール装着装置に関する。
【０００２】
【従来の技術】
この種の包材ロール装着装置はその一例が実開昭62-150443号公報に開示されており、この公知の包材ロール装着装置は所定の制動力を付与可能な回転軸と、この回転軸に一体的に回転すべく支持され、包材ロールが取り外し可能にして装着されるリールを備えている。リールはその軸線方向に分割され、回転軸と一体に回転可能な一対のリール半体からなり、各リール半体は包材ロールの芯管（紙管）内に嵌入される装着軸部を有し、そして、装着軸部に対する包材ロールの滑りを防止する滑止め機構を備えている。
【０００３】
より詳しくは、滑止め機構は装着軸部の外周面から突没可能な複数の掛止爪（掛止片）からなり、これら掛止爪はばねの付勢力を受けて突出したとき、包材の繰り出しに伴う包材ロールの回転の方向（繰出し回転方向）と同一の向きから包材ロールにおける芯管の内周面に突き当たり、包材ロールの繰出し回転方向に関しては装着軸部、つまり、リール半体と包材ロールとを一体的に結合し、包材ロールの滑りを防止する。したがって、各掛止爪が突出状態にあるときには、包材ロールは回転軸に付与された制動力を受けることになり、包材ロールからはその制動力に抗して包材が繰り出されることで、包材に一定の張力を付与することができる。
【０００４】
【発明が解決しようとする課題】
ところで、上述した公知の包材ロール装着装置の場合、掛止爪は包材ロールの繰出し回転方向に関してのみ包材ロールとリールとを一体的に結合し、その繰出し回転方向とは逆向の回転方向には（巻取り回転方向）に関しては包材ロールの回転を許容するものとなっている。このことは、包材ロールの芯管内にリール半体の装着軸部に嵌入する際や芯管から装着軸部を引き抜く際、装着軸部内にそのばね付勢力に抗して掛止爪を没入させるために必要不可欠であり、これにより、リールへの包材ロールの脱着が可能となる。
【０００５】
しかしながら、間欠包装機は物品を間欠的に包装するものであるため、包材ロールからの包材の繰出しも間欠的に停止される。このような包材の繰出し停止時、包材ロールの慣性モーメントに対して回転軸の制動力が強すぎると、各掛止爪は包材ロールの芯管からの反動力を受けて、その没入方向に沈み込み、芯管の内周面に対してスリップし易い。このような掛止爪のスリップは各掛止爪の先端を摩耗させるから、包材の繰出し時、包材ロールとリール半体との間の結合が不安定となり、包材の安定した繰出しを維持できない不具合がある。
【０００６】
また、包材ロールの慣性モーメントはその包材の巻き残量により変化するため、この変化に応じて回転軸の制動力を調整することも考えられるが、この場合には包材ロール装着装置の構成が複雑になる。
本発明は上述の事情に基づいてなされたもので、その目的とするところは簡単な構成により、包材ロールの脱着を容易に行えかつ包材ロールとそのリールとの間の結合を安定して確保できる間欠包装機の包材ロール装着装置を提供することにある。
【０００７】
【課題を解決するための手段】
上記の目的を達成する間欠包装機の包材ロール装着装置（請求項１）は、前述した従来の装置と同様にリールを一対のリール半体からなる分割型とし、各リール半体は装着軸部内にその横断面内にて回動自在に配置され、一端が装着軸部の外周面に対して突没可能な掛止部材と、掛止部材をその一端の突出方向に回動させる回動手段とを備え、そして、各リール半体の掛止部材はその一端に包材ロールにおける芯管の内周面に対して互いに逆向きの周方向から個々の歯先を突き当て可能な滑止め歯列を有している。
【０００８】
上述の包材ロール装着装置によれば、リールに包材ロールが装着されると、各リール半体の掛止部材は回動手段により装着軸部から突出し、滑止め歯列は包材ロールにおける芯管の内周面に互いに逆向きの周方向からその個々の歯先が突き当たり、包材ロールの芯管に掛止状態となる。一方、芯管の内面に滑止め歯列が掛止されると、包材ロールは装着軸部に対して偏心するような力を受け、これにより、芯管はその直径方向でみて滑止め歯列とは反対側の内周面部分にて装着軸部に押し付けられることになり、装着軸部に対する芯管の掛止はより確実になる。
【０００９】
このような状態にて、包材ロールから包材が繰り出されると、各リール半体もまた包材ロールと一体に回転し、そして、回転軸の制動力により繰り出された包材に所定の張力が付与される。
具体的には、回動手段は回転軸に設けられた受け部（請求項２）を備えており、この受け部が掛止部材と当接可能となっている。この場合、回転軸の回転を阻止した状態で、回転軸に対してリール半体が掛止部材を伴って、その周方向に回転されると、掛止部材は滑止め歯列とその回動中心との間にて回転軸の受け部に当接する。そして、リール半体の更なる回転を受け、掛止部材は受け部から回動力を受けて回動し、リール半体の装着軸部の外周から突出する。
【００１０】
このように回動軸が回転軸の受け部のみから構成される場合、掛止部材の回動には回転軸に対するリール半体の回転が必要となるが、しかしながら、リール半体の回転を必要とすることなく、掛止部材を回動させることも可能である。
すなわち、この場合、回動手段は、回転軸の外周面に設けられたピボット軸受と、掛止部材に設けられ、その先端が前記ピボット軸受に対して進退可能な進退軸部材とから実現することができ（請求項３）、進退軸部材はその先端がピボット軸受に支持された状態で更に伸長し、掛止部材をその突出方向に回動させる。具体的には、進退軸部材にはねじ軸やソレノイドプランジャなどを使用できる。
【００１１】
各リール半体は、回転軸の直径方向でみて掛止部材、すなわち、第１の掛止部材の滑止め歯列とは反対側に設けられた第２の滑止め歯列を更に含むことができる（請求項４）。
第２の滑止め歯列は芯管の内面に周方向から歯先が突き当たり、芯管を掛止する。具体的には、第２の滑止め歯列は装着軸部の外周面に直接に形成されるか、又は、装着軸部内に前記第１の掛止部材と同様な第２の掛止部材を回転軸に対して点対称に設けることでも得ることができる。この場合、第２の滑止め歯列は芯管の内周面に対し、前記第１の掛止部材の滑止め歯列と同様に同一の周方向から突き当たるのが好ましい。
【００１２】
【発明の実施の形態】
図１を参照すると、間欠包装機の一例として縦形製袋充填包装機が示されている。この包装機にて、予備繰出しローラ２はその回転に伴い、包材ロールＲから包材（例えばフィルムシート）Ｆを間欠的に繰り出し、繰り出された包材Ｆはダンサーロール等を経てフォーマ４を通過し、そして、製袋チューブ６に導かれる。フォーマ４を通過する際、包材Ｆは製袋チューブ６を包むような円筒状に成形され、この後、その両側縁が所定の形態の継ぎ目部分として重ね合わされた状態で、製袋チューブ６に沿って更に下方に間欠的に繰り出される。この間欠繰出しのために、製袋チューブ６の両側には無端状のサクションベルト８がそれぞれ配置されており（図１には一方のサクションベルト８のみを図示）、これらサクションベルト８はその走行に伴い、円筒状の包材Ｆを吸着しながら下方に間欠的に繰り出す。ここで、サクションベルト８による１回当たりの包材Ｆの繰出し長さは製袋すべき袋の長さに一致する。
【００１３】
このようにして包材Ｆが間欠的に繰り出される際、包材Ｆの継ぎ目部分はセンタヒートシーラ１０を通過し、このセンタヒートシーラ１０は継ぎ目部分をヒートシール、すなわち、センタシールし、これにより、包材Ｆは完全な筒状に成形される。
この後、包材筒Ｔは間欠繰出しに伴い、製袋チューブ６の下端から抜け出し、そして、図示しない一対のフィンにより左右に拡げられた後、トップヒートシール１２を通過する。包材筒Ｔが通過し、そして、その繰出しが停止すると、トップヒートシール１２は包材筒Ｔをその横断方向にヒートトシール、すなわち、トップシールし、この後、そのトップシールのシール幅中央にて包材筒Ｔを切断し、個々の袋を成形する。
【００１４】
ここで、包材筒Ｔのトップシール中にて、包材筒Ｔ内には製袋チューブ６を通じて製品（図示しない）が充填され、これにより、個々の袋はその内部に製品を収容した包装品Ｐとなる。なお、この後、包装品Ｐはシュートを介してコンベアに導かれ、このコンベアにより箱詰め機に向けて移送される。
上述した包装機は包材ロールＲのための装着装置を備えており、装着装置の詳細は図２に示されている。
【００１５】
図２の装着装置は回転軸１４を備えており、回転軸１４はその両端が支持ローラユニット１６を介して左右の支持プレート１８に回転自在に支持されている。より詳しくは、各支持ローラユニット１６は３個のフリーローラ２０からなり、これらフリーローラ２０は支持プレート１８の上端部にローラ軸を介して取り付けられている。そして、フリーローラ２０は回転軸１４の脱着を許容するスペースを確保した状態で回転軸１４の周方向に配置されている。
【００１６】
回転軸１４の一端にはブレーキディスク２２が取り付けられており、このブレーキディスク２２の外周部にはその両側にブレーキパッド２４がそれぞれ配置されている。これらブレーキパッド２４は図示しない駆動機構によりブレーキディスク２２を解放可能に挟み付け、ブレーキディスク２２を介して回転軸１４に所定の制動力を付与することができる。
【００１７】
回転軸１４にはリール２６が設けられており、このリール２６に包材ロールＲが取外し可能に装着される。リール２６は回転軸１４の軸方向でみて互いに向き合う一対のリール半体２８ａ，２８ｂからなり、これらリール半体２８ａ，２８ｂは後述する点を除いて対称な構造を有している。それゆえ、以下には一方のリール半体２８について、その構造を説明する。
【００１８】
リール半体２８は円盤状をなし、その外周には外側、つまり、回転軸１４の端側に向けて突出するリング状のリム３０を有する。リール半体２８はその中央部にはハブ３２が一体に形成されている。ハブ３２はその中央に回転軸１４を挿通可能とするセンタ孔３４が形成され、回転軸１４上でのリール半体２８の移動を許容する。ハブ３２はリム３０とは反対側の部分が他方に比べて大きく突出し、この部分が包材ロールＲのための装着軸部３６として形成されている。したがって、装着軸部３６は包材ロールＲにおける紙製の芯管Ｓの内径とほぼ同一の外径を有し、その芯管Ｓ内に嵌入可能となっている。
【００１９】
ハブ３２には装着軸部３６とは反対側の端に回転軸１４を囲む割りカラー３８が取り付けられており、この割カラー３８は締付けレバー４０の回動操作により、締付けねじを介して回転軸１４に締付けることができ、また、逆にその締付けを解除することができる。したがって、リール半体２８は回転軸１４上の任意の位置にて固定でき、そして、回転軸１４と一体に回転できる。
【００２０】
ハブ３２の装着軸部３６にはその外周の一部に横断溝４２が形成されており、この横断溝４２は回転軸１４の外周を部分的に露出させている。横断溝４２内には図３に示すように板状の掛止部材４４が回転軸１４の軸線を横切るようにして収容され、この掛止部材４４の基端は回動軸、すなわち、取付ねじ４６に支持されている。この取付ねじ４６は装着軸部３６の一端面から掛止部材４４の基端を貫通し、装着軸部３６にねじ込まれている。したがって、掛止部材４４は取付ねじ４６を中心として回動自在であり、この回動により、掛止部材４４の先端は装着軸部３６の外周に対して突没可能である。
【００２１】
掛止部材４４の先端は円弧形状をなし、装着軸部３６の外周から突出したとき、芯管Ｓの内周面に密着することができる。更に、掛止部材４４の先端には滑止め歯列４８が形成されており、この滑止め歯列４８の個々の歯は装着軸部３６の周方向に並んでいる。したがって、掛止部材４４は装着軸部３６から突出したとき、その滑止め歯列４８における個々の歯を芯管Ｓの内周面に突き当てることができる。
【００２２】
ここで、包材Ｆの繰出しに伴う包材ロールＲの回転方向、つまり、繰出し回転方向をＣとしたとき、一方のリール半体２８ａ内の掛止部材４４は突出時、その滑止め歯列４８の個々の歯が図３に示すように繰出し回転方向Ｃと同一方向から芯管Ｓの内周面に突き当たる。これに対し、他方のリール半体２８ｂ内の掛止部材４４にあっては、突出時、その滑止め歯列４８の個々の歯は図４に示すように繰出し回転方向Ｃとは逆向きの方向から芯管Ｓの内周面に突き当たる。すなわち、図３及び図４を比較すれば明らかなように、リール半体２８ａ，２８ｂの掛止部材４４は回転軸１４を挟んで対称に配置されている。
【００２３】
更に、掛止部材４４の滑止め歯列４８が芯管Ｓの内周面に突き当たると、芯管Ｓは装着軸部３６に対して偏心するような力を受け、これにより、図３及び図４に示すように芯管Ｓはその直径方向でみて滑止め歯列４８とは反対側の内周面部分が装着軸部３６の外周面に押し付けられることになる。なお、図３及び図４中、芯管Ｓと装着軸部３６との間のギャップは誇張して示してある。
【００２４】
滑止め歯列４８を突没させるべく掛止部材４４を回動させるため、回転軸１４には平坦面５０が形成されている。この平坦面５０は前述した横断溝４２内に突出する回転軸１４の一部を切欠くようにして形成され、そして、図１から明らかなように前述した左右の支持ローラユニット１６間に亘って延びている。なお、平坦面５０の両端部にはリール半体２８ａ，２８ｂの位置決めに使用される目盛り（図示しない）が設けられている。
【００２５】
次に、図５〜図７を追加し、リール２６に対する包材ロールＲの装着や掛止部材４４の回動手順を順に説明する。
先ず、回転軸１４の他端側から割カラー３８を緩めた状態のリール半体２８ａをはめ込み、そして、回転軸１４に沿って移動させる。この後、回転軸１４の他端側から包材ロールＲ、そして、その割カラー３８を緩めた状態のリール半体２８ｂを順次はめ込み、リール半体２８ａ，２８ｂの装着軸部３６を包材ロールＲの芯管Ｓ内に嵌入させ、包材ロールＲをリール半体２８ａ，２８ｂ間に挟み付ける。このとき、各リール半体２８は平坦面５０が上方を向いた回転軸１４に対し、装着軸部３６の横断溝４２の底が図５に示すように回転軸１４の平坦面５０と面一となるような回転角位置にある。したがって、装着軸部３６内の掛止部材４４はその自重により取付ねじ４６を中心として下方に回動し、その滑止め歯列４８が装着軸部３６内に没入した状態にある。したがって、包材ロールＲの芯管Ｓ内に装着軸部３６を嵌入する際、図６から明らかなように掛止部材４４が芯管Ｓと干渉することはない。
【００２６】
この後、回転軸１４の回転を阻止した状態で、リール半体２８、すなわち、その装着軸部３６を一方向に回転させると、この回転に伴い、図７に示すように掛止部材４４は回転軸１４における平坦面５０の一側縁（受け部）に当接する。この後、装着軸部３６を更に回転させると、掛止部材４４は平坦面５０の一側縁から回動力を受けることで、取付ねじ４６を中心として回動し、その滑止め歯列４８が装着軸部３６の外周から突出し、個々の歯先が芯管Ｓの内周面に突き当たって食い込み、芯管Ｓを掛止する。
【００２７】
ここで、図３，４から明らかなように芯管Ｓを掛止するためのリール半体２８ａ，２８ｂの回転方向は互いに逆向きとなる。なお、図から明らかなように掛止部材４４の基端は横断溝４２の底に面する側の側縁が斜めに切り取られ、掛止部材４４の回動時、その基端が横断溝４２の底と干渉しないようになっている。
この後、包材ールＲを装着したリール２６は回転軸１４に沿って移動されて所定位置に位置付けられ、この位置にて、各リール半体２８の締付けレバー４０を回動操作し、その割カラー３８を回転軸１４に締付け、各リール半体２８、つまり、リール２６を回転軸１４上にて固定する。なお、回転軸１４上でのリール２６の位置決めには平坦面５０に設けた目盛りが使用される。
【００２８】
このようにして各リール半体２８が固定されると、各リール半体２８と回転軸１４とは一体に回転されるので、回転軸１４に対するリール半体２８の回転角位置にずれが生じることはなく、したがって、その掛止部材４４の滑止め歯列４８は芯管Ｓの内周面に食い込んだ状態に維持される。
この後、包材ロールＲを装着したリール２６は図１に示すように、その回転軸１４の両端が左右の支持プレート１８の支持ローラユニット１６に回転自在に支持され、この状態にて、包材ロールＲから包材Ｆを繰り出すことができる。
【００２９】
なお、包材ロールＲにて包材Ｆの残量が無くなると、前述した包材ロールＲの装着手順を逆に行うことで、リール２６から芯管Ｓを取り外すことができる。
包材Ｆの間欠繰出しに伴い、包材ロールＲがその繰出し回転方向Ｃに回転しようとすると、その芯管Ｓの内周面には前述したように一方のリール半体２８ａにおける掛止部材４４の滑止め歯列４８が食い込んでおり、しかも、包材ロールＲの繰出し回転は掛止部材４４にその滑止め歯列４８が更に食い込むような方向への回動力を発生させるので（図３参照）、芯管Ｓはリール半体２８ａと一体的に回転する。ここで、リール半体２８ａ，２８ｂは共に回転軸１４に固定された状態にあるから、リール半体２８ｂもまた回転軸１４を介してリール半体２８ａと一体に回転する。
【００３０】
一方、回転軸１４にはそのブレーキディスク２２を介して制動された状態にあるので、包材Ｆは回転軸１４の制動力に抗して繰り出されることになり、包材Ｆに所定の張力を付与することができる。
包材Ｆの間欠繰出しが停止されたときにはリール２６もまた回転軸１４の制動力を受けて、その回転が停止されるが、この際、包材ロールＲが反動により繰出し回転方向Ｃとは逆向きに回転しようとしても、その逆回転は他方の側のリール半体２８ｂの掛止部材４４により阻止される。すなわち、リール半体２８ｂにおいては、その掛止部材４４の滑止め歯列４８が芯管Ｓの内周面に対し、繰出し回転方向とは逆方向から食い込んでいるので（図４参照）、この食い込みにより、リール半体２８ｂ、つまり、リール２６の逆回転は確実に阻止される。したがって、包材Ｆの間欠繰出しが繰り返されても、各リール半体２８の掛止部材４４が没入して芯管Ｓの内周面にてスリップするようなことはなく、この結果、滑止め歯列４８における個々の歯先の摩耗を確実に防止でき、リールの２６の耐久性を大幅に向上することができる。
【００３１】
掛止部材４４の回動は回転軸１４に対し、そのリール半体２８を回転させることで可能であるから、掛止部材４４のための特別な回動機構を必要とせず、簡単の構成にて、リール２６に対する包材ロールＲの装着や、取外しを容易に行うことができる。
本発明は上述の実施の形態に制約されるものではなく、種々の変形が可能である。
【００３２】
例えば、各リール半体２８にあっては、図８に示すように装着軸部３６の直径方向でみて、掛止部材４４の滑止め歯列４８が食い込む位置とは反対側に位置した装着軸部３６の外周面部分に滑止め歯列４８と同様な滑止め歯列５２を形成することもできる。この場合、掛止部材４４の滑止め歯列４８が芯管Ｓの内周面に食い込むと、前述したように芯管Ｓはその直径方向でみて、その反対側の内周面部分が装着軸部３６の外周面に密着するので、この際、滑り止め歯列５２の個々の歯先が芯管Ｓの内周面に食い込み、この結果、リール半体２８と包材ロールＲとの結合をより強固にすることができ、滑止め歯列４８の摩耗を更に低減することができる。
【００３３】
図９を参照すると、リール半体２８は回転軸１４を挟んで点対称となる一対の掛止部材４４を備えている。この場合、各掛止部材４４の滑止め歯列４８が芯管Ｓの内周面にそれぞれ食い込むことになるので、芯管Ｓはその直径方向でみて互いに反対向きに押圧されるので、回転軸１４に対する芯管Ｓの同心性を維持可能となる。
【００３４】
上述の実施の形態では、回転軸１４に対しリール半体２８を回転させることで、掛止部材４４を回動させているが、掛止部材４４をリニアアクチュエータにより回動させることも可能である。例えば、図１０に示すように掛止部材４４内に進退ねじ５４がねじ込まれており、この進退ねじ５４はその先端が回転軸１４側に突出し、回転軸１４の外周面に形成したピポット軸受５６に当接可能となっている。このピボット軸受５６は横断面でみて円弧状をなす溝から形成され、この溝は前述した平坦面５０と同様に回転軸１４の軸方向に延びている。図１０に示す状態から、進退ねじ５４が更に回転軸１４側に突出されると、掛止部材４４は回転軸１４からの反力を受けて回動し、その滑止め歯列４８を芯管Ｓの内周面に突き当てることができる。
【００３５】
なお、リール半体２８の外側から進退ねじ５４の回転操作を可能とするため、図１１に示すようにリール半体２８のハブ３２は分割構造をなし、ハブ３２の外周面には横断溝４２に連通する開口５８が形成されており、この開口５８を通じて進退ねじ５４にアクセスすることができる。
更に、図１２に示すように進退ねじ５４の代わりにソレノイドプランジャ６０を使用することもでき、この場合にはハブ３２の開口５８は不要となる。
【００３６】
更にまた、図１３に示すように掛止部材４４はその先端に、滑止め歯列４８に加えて複数の食い込み歯６２を有することができる。滑止め歯列４８は芯管Ｓの周方向の滑りを防止するのに対し、食い込み歯６２は芯管Ｓの軸方向の滑りを防止する。
【００３７】
【発明の効果】
以上説明したように間欠包装機の包材ロール装着装置（請求項１）によれば、各リール半体にて、その掛止部材の滑止め歯列を包材ロールの芯管の内周面にその周方向でみて互いに逆向きの方向から突き当てるだけの簡単な構成により、各リール半体と包材ロールとの間の結合を強固にできる。したがって、リールに対する包材ロールの装着を容易に行えるばかりでなく、芯管と滑止め歯列と間のスリップによる滑止め歯列の摩耗を低減でき、リールの耐久性を向上できる。
【００３８】
回転軸に掛止部材の受け部を設けたものにあっては（請求項２）、回転軸に対してリール半体を回転させるだけで、掛止部材をその突出方向に回動させることができる。
また、掛止部材に進退軸部材が設けたものにあっては（請求項３）、回転軸に対しリール半体を回転させることなく、掛止部材の回動が可能となる。
【００３９】
更に、リール半体の装着軸部に第２の滑止め歯列が設けられていると（請求項４）、リール半体と包材ロールとの間の結合をより強固にできる。
【図面の簡単な説明】
【図１】縦形製袋充填包装機の概略斜視図である。
【図２】図１の包装機に適用される包材ロール装着装置の縦断面図である。
【図３】図２中、III-III線に沿う断面図である。
【図４】図２中、IV-IV線に沿う断面図である。
【図５】回転軸にリール半体がはめ込まれた状態を示す横断面図である。
【図６】包材ロールの芯管にリール半体の装着軸部が嵌入された状態を示す横断面図である。
【図７】装着軸部の外周から掛止部材の滑止め歯列が突出し、芯管の内周面に突き当たった状態を示す横断面図である。
【図８】変形例のリール半体を示す横断面図である。
【図９】変形例のリール半体を示す横断面図である。
【図１０】変形例のリール半体を示す横断面図である。
【図１１】図１０のリール半体の縦断面図である。
【図１２】変形例のリール半体を示す横断面図である。
【図１３】変形例の掛止部材の一部を示す斜視図である。
【符号の説明】
１４              回転軸
２６              リール
２８ａ，２８ｂ    リール半体
４４              掛止部材
４８              滑止め歯列
５０              平坦面
５２              （第２）滑止め歯列
５４              進退ねじ
６０              ソレノイドプランジャ
６２              食い込み歯
【図１】
0003808256.tif 000002
【図２】
0003808256.tif 000003
【図３】
0003808256.tif 000004
【図４】
0003808256.tif 000005
【図５】
0003808256.tif 000006
【図６】
0003808256.tif 000007
【図７】
0003808256.tif 000008
【図８】
0003808256.tif 000009
【図９】
0003808256.tif 000010
【図１０】
0003808256.tif 000011
【図１１】
0003808256.tif 000012
【図１２】
0003808256.tif 000013
【図１３】
0003808256.tif 000014